(57)【要約】  特に大口径配管用の、逆流洗浄式流体濾過装置。ハウジング（１２）は、入口ポート（１４）、出口ポート（２０）、および仕切りリング８０ａ、８０ｂによって３つのグループＤ１、Ｄ２、Ｄ３に分割されるフィルタディスクバッテリーを有する。洗浄段階では、フィルタディスクが互いに離れ、各グループのディスクが仕切りリングの一つに支持されることによって、ディスクの自重による影響が低減される。
2010513012.tif 000002
【特許請求の範囲】
【請求項１】
濾過すべき流体用の入口ポートと濾過された流体用の出口ポートとを備えたハウジングと、
前記入口ポートと出口ポートとの間にある流体の流路に位置するフィルタディスクバッテリーと、
装置の濾過段階においてディスクバッテリーを固定支持体に押し付けるように働く圧縮力を加える手段と、
洗浄段階において、前記圧縮力を解放し、ディスクが固定支持体から離れること、またディスク同士が離れることを可能にし、流体を出口ポートから隣接するディスク間に生じた間隙へ通す手段と
を含み、
任意の枚数のディスク間に設けられた仕切り手段がディスクバッテリーをグループに分割し、それによって洗浄段階において各グループが該仕切り手段の一つに支持されることを特徴とする、逆流自己洗浄式流体濾過装置。
【請求項２】
前記圧縮力を加える手段が、ディスクバッテリーの固定支持体とは反対側に、動作可能に連結されたピストンと、通常は前記ピストンを固定支持体の方向へ動かすために提供されるばね手段とを含む、請求項１に記載の装置。
【請求項３】
前記ピストンが、固定支持体から最も遠くに位置するディスクに適合するフランジ部を有するキャップ部材を介してディスクバッテリーに連結されている、請求項２に記載の装置。
【請求項４】
前記仕切り手段が、段階的スペーサ手段に連結されたリング一式を含み、ピストンが固定支持体から離れる方向へ動くと、その動きがまず固定支持体から最も遠い仕切りリングへと伝わり、残りの仕切りリングにも、より近いものへと順次伝わる、請求項３に記載の装置。
【請求項５】
前記段階的スペーサ手段が、前記ピストンキャップに固定されかつディスクバッテリーに沿って延びるロッド一式を含み、該ロッドには、ピストンの動きに合わせて段階的に仕切りリングにかみ合うように動くストッパー手段が備えられている、請求項４に記載の装置。
【請求項６】
前記ロッドがディスクバッテリーの内面に沿って延びる、請求項５に記載の装置。
【請求項７】
前記ロッドがディスクバッテリーの外面に沿って延びる、請求項５に記載の装置。
【請求項８】
前記段階的スペーサ手段が、前記ピストンキャップに固定されかつディスクバッテリーに沿って延びるワイヤ一式を含み、該ワイヤには、ピストンの動きに合わせて段階的に仕切りリングにかみ合うように動くストッパー手段が備えられている、請求項４に記載の装置。
【請求項９】
前記ワイヤがディスクバッテリーの内面に沿って延びる、請求項８に記載の装置。
【請求項１０】
前記ワイヤがディスクバッテリーの外面に沿って延びる、請求項８に記載の装置。
【請求項１１】
前記仕切り手段が、段階的スペーサ手段に連結されたリング一式を含み、ピストンが固定支持体から離れる方向へ動くと、その動きがまずピストンキャップ部材から最も遠い仕切りリングへと伝わり、残りの仕切りリングにも、より近いものへと順次伝わる、請求項３に記載の装置。
【請求項１２】
前記段階的スペーサ手段が、前記固定支持体に固定されかつディスクバッテリーに沿って延びるロッド一式を含み、該ロッドには、ピストンの動きに合わせて段階的に仕切りリングにかみ合うように動くストッパー手段が備えられている、請求項１１に記載の装置。
【請求項１３】
ディスクバッテリーを支持する複数のノズル付導管と、
出口ポートに備えられた一方向バルブであって、動作の濾過段階においては濾過された流体を通過させ、動作の逆流段階においては洗浄用流体をノズル付導管へと導く一方向バルブと
をさらに含む、請求項３に記載の装置。
【請求項１４】
前記バルブが、円錐形の有孔カップ部材と、該カップ部材内に配置された可撓性ライニングスリーブとを含み、該カップ部材と該ライニングスリーブが前記出口ポートの方向に開いている、請求項１３に記載の装置。
【請求項１５】
前記バルブが、円錐形の有孔カップ部材と、該カップ部材内で濾過された流体を自由に通過させる開位置と逆流洗浄時の閉位置との間を往復可能な補完的円錐形バルブ体とを含む、請求項１３に記載の装置。
【請求項１６】
前記仕切り手段が、段階的スペーサ手段に連結されたリング一式を含み、バルブ部材が出口ポートから離れる方向へ動くと、その動きがまず出口ポートから最も遠い仕切りリングへと伝わり、残りの仕切りリングにも、より近いものへと順次伝わる、請求項１５に記載の装置。
【請求項１７】
前記段階的スペーサ手段が、前記バルブ部材に固定されかつディスクバッテリーに沿って延びるロッド一式を含み、該ロッドには、段階的に仕切りリングにかみ合うよう構成されたストッパー手段が備えられている、請求項１６に記載の装置。
【請求項１８】
前記ロッドがディスクバッテリーの内面に沿って延びる、請求項１７に記載の装置。
【請求項１９】
前記ロッドがピストンキャップに連結されている、請求項１８に記載の装置。
【請求項２０】
請求項１に実質的に記載され、かつ添付の図面２〜１２を参照して説明される、逆流自己洗浄式流体濾過装置。
【発明の詳細な説明】
【技術分野】
【０００１】
本発明は流体フィルタに関する。本発明は特に、農業用水潅漑装置において広く使用されている類の逆流自己洗浄式ディスクフィルタに関する。より具体的には、本発明は、１９９９年６月２４日に公開された国際公開第９９／３０７９６号パンフレットにおいて本発明者らが開示した型式のフィルタと密接に関連するが、これに限定されない。
【背景技術】
【０００２】
上述した従来型ディスクフィルタにおいて、ディスクの直径が大きくなるほど、またディスクの枚数が多くなる、すなわちフィルタユニットの軸方向の全長が長くなるほど、特にフィルタが縦型に配置されている場合に、効率が低下することが知られている。
【０００３】
図１ａおよび図１ｂは、この効果を概略的に説明するものである。濾過段階において、ディスクＤは、ばね荷重されたピストンＰの力によって固定支持体Ｓに押し付けられ、圧縮バッテリーすなわちスタックを形成する。洗浄が必要になると、ピストンＰが解放されて上昇し、ディスクが互いに離れてディスク間に間隙が生じ、洗浄水はその間を通ることができる。
【０００４】
しかしながら、図１ｂに示すように、バッテリーの底部近くに位置するディスクは、積み重なったディスクの自重のため、間隔を空けることができない。したがって、洗浄効率は、底部すなわち積み重なったディスクを支える固定支持体Ｓからディスクまでの距離が短いほど低くなる。
【０００５】
固定支持体が上部、可動ピストンが底部に位置する場合も、同じことが言える（図７および図８参照）。
【発明の概要】
【発明が解決しようとする課題】
【０００６】
したがって、本発明の第１の目的は、上述した従来の濾過装置の欠点を克服することである。
【０００７】
本発明のさらなる目的は、自重要因をコントロールし、自重による不都合な影響をなくすことである。
【０００８】
本発明のさらにまた別の目的は、一組のディスクをいくつかのグループに分け、動作の逆流洗浄段階において各グループが１つ上のグループの重量を受けないようにすることである。
【課題を解決するための手段】
【０００９】
本発明によれば、
濾過すべき流体用の入口ポートと濾過された流体用の出口ポートとを備えたハウジングと、
前記入口ポートと出口ポートとの間にある流体の流路に位置するフィルタディスクバッテリーと、
装置の濾過段階においてディスクバッテリーに圧縮力を加える手段と、
洗浄段階において、前記圧縮力を解放し、ディスク同士が離れることによって流体を出口ポートから隣接するディスク間に生じた間隙へ通す手段と
を含み、
任意の枚数のディスク間に設けられた仕切り手段がディスクバッテリーをグループに分割し、それによって洗浄段階において各グループが該仕切り手段の一つに支持されることを特徴とする流体濾過装置が提供される。
【００１０】
前記仕切り手段は、段階的スペーサ手段を介してピストンに連結されたリングを含んでいてもよく、ピストンがディスクを解放する方向へ動くと、その動きはまずピストンに近いリングへと伝わり、残りの仕切りリングにも、近いものから遠いものへと順次伝わる。
【００１１】
本発明のこれらおよびさらなる構造上の特徴および利点は、添付の図面を参照しつつ、例示のみを目的とするいくつかの好ましい実施形態に関する以下の説明を照らし合わせることにより、より容易に理解されるであろう。
【図面の簡単な説明】
【００１２】
【図１ａ】濾過段階にある圧縮ディスクパックを概略的に示す。
【図１ｂ】逆流段階にある従来型装置においてディスクが不均等に分布する現象を示す。
【図２】濾過段階にある本発明の第１の好ましい実施形態による濾過装置の、部分的に断面を示す３次元ビューである。
【図３ａ】図２の濾過装置の軸方向断面図である。
【図３ｂ】図３ａの線III−IIIにおける径方向断面図である。
【図４】逆流段階にある図３の濾過装置の断面図である。
【図５】濾過段階にある本発明の変形実施形態による濾過装置の断面図である。
【図６】逆流段階にある図５の濾過装置である。
【図７】濾過段階にある本発明のさらなる実施形態の断面図である。
【図８】逆流段階にある図７の濾過装置である。
【図９】濾過段階にあるさらにまた別の実施形態である。
【図１０】逆流段階にある図９の濾過装置である。
【図１１】濾過段階にあるさらにまた別の実施形態である。
【図１２】逆流段階にある図１１の濾過装置である。
【発明を実施するための形態】
【００１３】
図２〜図４において概して１０で示される濾過装置は、入口ポート部１４を備える主ハウジング部１２を含む。回転式二方バルブ１６は、主ハウジング部１２へ入って来る流体（主として水）の流れをコントロールするか、またはそれを遮断し、ハウジング１２を洗浄水出口１８と連通させるために備えられている（図４参照）。
【００１４】
出口ポートハウジング部２０は、ハウジング１２に取り付けられており、濾過水用出口ポート２２は、逆流洗浄水用入口ポートも兼ねている（図４）。
【００１５】
ハウジング部１２と２２とは、隔壁２４により分離されている。
【００１６】
概して２６で示される主フィルタ装置構造は、フランジ２８によって隔壁２４に取り付けられている。該フィルタ装置構造は、３本（またはそれ以上）のノズル付導管３０から形成される籠体を含み、該籠体の周囲に前記フィルタディスクバッテリーＤが支持されている。逆流段階において、洗浄水は前記導管３０を通って供給される。したがって、これらの管は、底部で開き、上部は閉じている。
【００１７】
２つの所望の動作段階に応じて水の流れをコントロールするため、装置１０には一方向バルブアセンブリが備えられている。
【００１８】
この例では、バルブアセンブリは円錐形の有孔カップ４０を含む。カップ４０の内部には、適合する可撓性ライニングスリーブ４２（例えばゴム製）が配置されており、該スリーブは、スリーブをカップ４０内に固定しかつ水の流れを導き入れてディスクを圧縮するピストンアセンブリを動かすための（後に詳述）中空のニップル状延長部４４を有する（図４の流路を参照のこと）。
【００１９】
好ましくは角型（剛性のため）の中空ロッド４６が、カップ４０の上部とばねハウジング部材５０とを結合している。構成部品３０、４０、４６、５０、６４は、プラスチック射出成型により一体化されていることが好ましく、これは本発明のさらなる重要な利点と見なされる。
【００２０】
フランジ付キャップ５２は、ばねハウジング部材５０上に螺合されている。コイルばね５４は、キャップ５２とピストンキャリア５６の肩部５６ａとの間で圧縮される。
【００２１】
ピストンすなわちプランジャ６０は、例えば保持リング６２によって延長ロッド５６ｂに固定され、シリンダ６４に囲まれている。ロッド５６ｂは、釣鐘形状のディスク圧縮キャップ７０に、例えばねじ７２によって接続されている。キャップ７０のリム７０ａはディスクパックの上部に適合し、ディスクパックをフランジ２８から成る固定支持体に押し付ける。
【００２２】
上述した詳細構造が本発明の応用において本質的なものではなく、フィルタ装置一般の技術分野で自体公知である他の設計的特徴もまた採用可能であることは、ここで強調しておく必要がある。ただし、それら他の設計的特徴は、以下でさらに説明する本発明の状況において、推奨されるものではない。
【００２３】
本発明の主旨は、ディスク間に適合し、バッテリーをほぼ同数のディスクから成る３つのグループＤ１、Ｄ２、Ｄ３に分割する仕切りリング８０ａ、８０ｂ（例では２つ図示）を提供することにある。
【００２４】
ディスクスペーサロッド一式（例では３本図示）８２は、フランジ７０ａから下方に向けて、ディスクバッテリーと平行にその内側（または外側）を通って延びるよう備えられている。前記ロッド８２は、仕切りリング８０ａ、８０ｂの周囲にこの目的のために設けられた耳部を貫通し、垂直方向に自在に延びる。ストッパー８４ａ、８４ｂは、スペーサロッド８２に固定されている。仕切りリング８０ａに関連するストッパー８４ａは、リング８０ａの下、ある一定の第１の距離に位置する。仕切りリング８０ｂに関連するストッパー８４ｂは、仕切りリング８０ｂの下、第１の距離より長いある一定の第２の距離に位置する。
【００２５】
濾過装置１０の動作は以下の通りである。
【００２６】
通常の濾過段階では、水（または他の流体）が入口ポート１４からユニット１０に入り、ディスクバッテリーＤに通される。ディスクは、キャップ７０によりばね５４に加えられた力によって圧縮状態にある（この段階では、仕切りリング８０ａ、８０ｂがディスクを３つのグループＤ１、Ｄ２、Ｄ３に分割していることによる影響はない）。
【００２７】
濾過された水は、カップ４０の穴を通って流れる。このときゴムスリーブ４２は内側へ縮み、このような流れを妨げない。
【００２８】
（自動ゲージまたはタイマーによって）一旦洗浄サイクルが開始すると、流れの方向は逆、すなわち出口２２から入口１４へ向かうようになるが、このとき入口１４はバルブ１６が閉じることにより遮断されている（図４参照）。
【００２９】
ゴムスリーブ４２は、流入する水の圧力により直ちに膨張し、円錐形カップ４０の穴を塞ぐ。このため、水は導管３０へ誘導され、該導管のノズルからフィルタディスクに向かって放射状に噴出する。
【００３０】
同時に、水はロッド４６を通ってピストンキャリアの下のスペースへ、さらにピストン６０の下のスペースへと導かれ、該ピストン６０は水圧により上昇を始める。この上方への移動は、張り出したフランジ７０ａを有するキャップ７０に伝えられ、その結果、ディスクにかかった圧力が解放され、高い洗浄効果を得るために必要なディスク同士の分離が促進される。
【００３１】
ディスクは、逐次的にＤ１、Ｄ２、Ｄ３の３グループに分割される。まず仕切りリング８０ａがストッパー要素８４ａによって押し上げられ、その後リング８０ｂが、リング８０ｂとストッパー８４ｂとの間に最初に存在した距離に応じて押し上げられる。（この距離はストッパー８４ａと仕切りリング８０ａとの間の最初の距離よりも長くなくてはならない）。
【００３２】
ディスクの各グループ（この例ではディスク総数の約１／３ずつ）は、洗浄目的でディスク間隔を空けることに関しては互いに独立しているため、積み重なったディスクの自重の影響は効果的に（グループＤ３では約２／３、グループＤ２では約１／３）低減される。
【００３３】
洗浄水は、出口１８から系外へと排水される。洗浄段階が終了すると、再度水流の方向を逆にすることによって図３ａの動作状態が再開される。
【００３４】
本発明の典型的な例を上で示したが、次に本発明の変更および変形形態のいくつかを、詳細にではないが、先の実施形態に適用した指示番号と類似した番号をできる限り適用しながら説明する。
【００３５】
図５および図６のフィルタアセンブリ１２６は先の実施形態と非常によく似ており、スペーサロッド８２ａ、８３ｂの代わりにそれぞれ仕切りリング１８０ａ、１８０ｂに結び付けられたワイヤ１８２ａ、１８２ｂが用いられている点のみが異なっている。ワイヤ１８２ａ、１８２ｂは、ディスクグループＤ１、Ｄ２を段階的に分離させられるよう、長さが異なっている。
【００３６】
その他の詳細な構造および動作モードは実質的に上記と同じであるため、これ以上の説明は不要である。
【００３７】
図７および図８の実施形態は、本質的に図３および図４の実施形態の「上下逆」バージョンである。すなわち、ピストンアセンブリがユニット底部に設けられたものである。
【００３８】
この場合、ディスクの重力は逆向きに作用し、通常はバッテリーがピストンキャップ２７０のフランジ２７０ａに載った状態になる。したがって、スペーサロッド２８２は、フィルタアセンブリの出口側にあるプレート２２４に固定される。
【００３９】
ロッド２８２がディスクバッテリーの外側において延びている（これは先に開示した実施形態のいずれにも適用可能な設計変更である）ことに注意されたい。
【００４０】
図９および図１０の実施形態は、変形スペーサロッドおよびモード切替時にそれらを変位させる手段に関する。
【００４１】
一方向バルブとして機能する可撓性スリーブ４２（図１）の代わりに、ここではカップ３４０の内部に適合する円錐形の固いバルブ体３４２が使用される。バルブ体３４４は、ガイド管３９０に沿って自由に往復できる。バルブ体３４２には、上記と同様にストッパー３８４ａおよび３８４ｂを配設したスペーサロッド３８２が、取り付けられるかまたは一体に形成されている。濾過モード（図９）から洗浄モード（図１０）への移行は、以下のように行われる。濾過段階の間、水は、矢印で示すように、カップ３４４の開口部を通り出口へと流れることができる。このときディスクバッテリーは圧縮段階にある。
【００４２】
流れの方向が逆になると（図１０）、洗浄水による衝撃および圧力によってバルブ体３４４が閉じ、ピストン３６０とキャップ３７０とが上昇する。
【００４３】
バルブ体３４４が移動すると、まずストッパー３８４ａが仕切りリング３８０ａの下に位置することにより、第１のディスクグループＤ１が持ち上げられる。次いで、バルブ体３４４がさらに移動することにより、第２のグループＤ２が持ち上げられる。
【００４４】
最終的には、カップ３４２の開口部が閉じ、完全な逆流洗浄サイクルが始まる。
【００４５】
図１１および図１２の実施形態は、バルブ体４４２をピストンキャップ４７０に連結することによって該バルブ体の閉鎖をさらに強めている（したがって流入する水の圧力に完全に依存するわけではない）点が先の実施形態と異なっている。このため、スペーサロッド４８２は図１０と比較するとさらに延長されており、キャップ４７０に確実に連結されている。逆流洗浄段階（図１２）が開始されると、バルブ体４４２にかかる水圧とピストン４６０の力とがともにバルブに加わり、バルブは確実に閉鎖される。
【００４６】
本発明のいくつかの実施形態を例示的に説明したが、本発明の精神と範囲から逸脱することなくさらなる実施形態の開発が可能であることは明らかである。以下のクレームで示すように、このような変形と応用とが本発明の精神と範囲から逸脱するものでないことは理解されるべきである。
【図１ａ】
2010513012.tif 000003
【図１ｂ】
2010513012.tif 000004
【図２】
2010513012.tif 000005
【図３ａ】
2010513012.tif 000006
【図３ｂ】
2010513012.tif 000007
【図４】
2010513012.tif 000008
【図５】
2010513012.tif 000009
【図６】
2010513012.tif 000010
【図７】
2010513012.tif 000011
【図８】
2010513012.tif 000012
【図９】
2010513012.tif 000013
【図１０】
2010513012.tif 000014
【図１１】
2010513012.tif 000015
【図１２】
2010513012.tif 000016
【手続補正書】
【提出日】平成19年10月23日(2007.10.23)
【手続補正１】
【補正対象書類名】特許請求の範囲
【補正対象項目名】全文
【補正方法】変更
【補正の内容】
【特許請求の範囲】
【請求項１】
濾過すべき流体用の入口ポートと濾過された流体用の出口ポートとを備えたハウジングと、
前記入口ポートと出口ポートとの間にある流体の流路に位置する、積み重ねられた平らな濾過用ディスクと、
前記積み重ねられたディスクの底部で該ディスクを支持する固定部材と、
前記積み重ねられたディスクの上部に配置され、通常は入って来る流体の圧力を該ディスクの圧縮状態が保たれるよう作用させ、フィルタの洗浄段階においては逆向きの流れによる背圧を受けて上方へ移動し、ディスクを圧縮状態から解放するよう構成された可動部材と、
任意のディスク部材間に配置され、前記積み重ねられたディスクを複数のグループに分割する仕切り手段と、
前記可動部材と前記仕切り手段のそれぞれとを連結させ、
（i）可動部材が移動を始めると、積み重ねられたディスクが圧縮状態から解放され、
（ii）可動部材がさらに移動して、あらかじめ設定した第１の距離を進むと、最上位の仕切り手段が、自体が支持している第１のディスクグループとともに可動部材の動きに合わせて移動し、
（iii）可動部材がさらに移動して、あらかじめ設定した第２の距離をさらに進むと、１つ下の仕切り手段が、自体が支持している第２のディスクグループとともに可動部材の動きに合わせて移動し、
（iv）残りのグループも同様に移動する、
ことを可能にするスペーサ手段と
を含み、
それによって各グループが１つ上のグループの自重から解放されることを特徴とする、縦型逆流自己洗浄式流体濾過装置。
【請求項２】
前記可動部材が、逆向きの流れによる圧力と連動するピストンに対し、動作可能に連結されている、請求項１に記載の装置。
【請求項３】
前記仕切り手段がリング一式を含む、請求項２に記載の装置。
【請求項４】
前記スペーサ手段が、前記積み重ねられたディスクに沿って延びかつ前記可動部材に上端が固定されたロッド一式を含み、該ロッドには、可動部材が移動する間、それぞれのリングに段階的にかみ合い、リングを持ち上げるよう構成されたストッパー手段一式が備えられている、請求項３に記載の装置。
【請求項５】
前記ロッドが前記積み重ねられたディスクの内面に沿って延びる、請求項４に記載の装置。
【請求項６】
前記ロッドが前記積み重ねられたディスクの外面に沿って延びる、請求項４に記載の装置。
【請求項７】
前記スペーサ手段が、前記可動部材に上端が固定されたワイヤ一式を含み、該ワイヤには、可動部材が移動する間、それぞれのリングに段階的にかみ合い、リングを持ち上げるよう構成されたストッパー手段が備えられている、請求項３に記載の装置。
【請求項８】
前記ワイヤが前記積み重ねられたディスクの内面に沿って延びる、請求項７に記載の装置。
【請求項９】
前記ワイヤが前記積み重ねられたディスクの外面に沿って延びる、請求項７に記載の装置。
【請求項１０】
濾過すべき流体用の入口ポートと濾過された流体用の出口ポートとを備えたハウジングと、
前記入口ポートと出口ポートとの間にある流体の流路に位置する、積み重ねられた平らな濾過用ディスクと、
前記積み重ねられたディスクの上部に配置された固定部材と、
前記積み重ねられたディスクの底部で該ディスクを支持し、通常は入って来る流体の圧力を該ディスクの圧縮状態が保たれるよう作用させ、フィルタの洗浄段階においては逆向きの流れによる背圧を受けて下方へ移動し、ディスクを圧縮状態から解放するよう構成された可動部材と、
任意のディスク部材間に配置され、前記積み重ねられたディスクを複数のグループに分割する仕切り手段と、
前記固定部材と前記仕切り手段のそれぞれとを連結させ、
（i）可動部材が移動を始めると、積み重ねられたディスクが圧縮状態から解放されて下向きの動きに追従し、
（ii）可動部材がさらに移動して、あらかじめ設定した第１の距離を進むと、最上位のグループの下方への動きが最上位の仕切り手段にブロックされ、
（iii）可動部材がさらに移動して、あらかじめ設定した第２の距離を進むと、１つ下のグループの下方への動きが１つ下の仕切り手段にブロックされ、
（iv）残りのグループも同様に移動する、
ことを可能にするスペーサ部材と
を含み、
それによって各グループが１つ上のグループの自重から解放されることを特徴とする、縦型逆流自己洗浄式流体濾過装置。
【請求項１１】
前記可動部材が、逆向きの流れによる圧力と連動するピストンに対し、動作可能に連結されている、請求項１０に記載の装置。
【請求項１２】
前記仕切り手段がリング一式を含む、請求項１１に記載の装置。
【請求項１３】
前記スペーサ手段が、前記積み重ねられたディスクの外面に沿って延びかつ前記固定部材に上端が固定されたロッド一式を含み、該ロッドには、可動部材が移動する間、それぞれのリングの下方への移動を段階的に制限するよう構成されたストッパー手段一式が備えられている、請求項１２に記載の装置。
【請求項１４】
前記積み重ねられたディスクを支持する複数のノズル付導管と、
動作の濾過段階においては濾過された流体が出口ポートへ流れるよう通過させ、動作の逆流段階においては洗浄用流体を出口ポートからノズル付導管へと流れさせる一方向バルブと
をさらに含む、請求項１または１０に記載の装置。
【請求項１５】
前記バルブが、円錐形の有孔カップ部材と、該カップ部材内に配置された可撓性ライニングスリーブとを含み、該カップ部材と該ライニングスリーブが前記出口ポートの方向に開いている、請求項１４に記載の装置。
【請求項１６】
前記バルブが、円錐形の有孔カップ部材と、該カップ部材内で濾過された流体を自由に通過させる第１の位置と洗浄用流体を自由に通過させる第２の位置との間を往復可能な補完的円錐形バルブ体とを含む、請求項１４に記載の装置。
【請求項１７】
前記仕切り手段がリング一式を含む、請求項１６に記載の装置。
【請求項１８】
前記スペーサ手段が、前記積み重ねられたディスクの内面に沿って延びかつ前記バルブ体に固定されたロッド一式を含み、該ロッドには、バルブ体が第１の位置から第２の位置まで移動することにより、それぞれのリングに段階的にかみ合い、リングを持ち上げるよう構成されたストッパー手段が備えられている、請求項１７に記載の装置。
【請求項１９】
前記ロッドが前記可動部材に固定されている、請求項１８に記載の装置。
【国際調査報告】
2010513012.tif 000017
2010513012.tif 000018